(57)【要約】【課題】吸収本体を衣類の適正位置に簡単に位置決めする。【解決手段】生理用ナプキン１は、液透過性トップシート３、液不透過性バックシート４、及びこれらトップシート３とバックシート４との間に配置された吸収体５を含む吸収本体２を具備する。トップシート３の表面を覆うカバーシート８を具備し、カバーシート８の周縁領域８Ｐが吸収本体２に接合される。カバーシートの中央領域８Ｃに、区画線９により、吸収本体２を下着に固定するためのフラップが区画される。使用時にこれらフラップが折り曲げ領域においてそれぞれ折り曲げられ拡げられて下着にそれぞれ固着される。吸収本体２のほぼ中心に位置するカバーシート８の表面に、衣類に対する吸収本体２の位置決めを容易にするための目印２０が設けられている。目印２０には着色加工が施され、目印２０周りの周囲部分８Ｓには着色処理が施されない。【選択図】図１
2010233924.tif 000002
【特許請求の範囲】
【請求項１】
液透過性トップシート、液不透過性バックシート、及びこれらトップシートとバックシートとの間に配置された吸収体を含む吸収本体を具備した吸収性物品において、トップシートの表面を覆うカバーシートを具備し、該カバーシートの周縁領域が吸収本体に接合されると共に、該カバーシートの中央領域に、弱め線又は切断線からなる区画線により、吸収本体を衣類に固定するための少なくとも１つのフラップが区画され、使用時にこれらフラップが折り曲げ領域においてそれぞれ折り曲げられ拡げられて衣類にそれぞれ固着され、衣類に対する吸収本体の位置決めを容易にするための目印がカバーシートに設けられている、吸収性物品。
【請求項２】
前記目印と該目印周りのカバーシートの表面部分である周囲部分との間に視覚的又は触覚的コントラストが設けられる、請求項１に記載の吸収性物品。
【請求項３】
前記目印が前記カバーシートに接合された追加シートから構成される、請求項１に記載の吸収性物品。
【請求項４】
前記目印が前記フラップを部分的に占めている、請求項１に記載の吸収性物品。
【請求項５】
前記フラップが、吸収本体の前後端縁に沿う折り曲げ領域においてそれぞれ折り曲げられ前後方向に拡げられる前フラップ及び後フラップと、吸収本体の左右側縁に沿う折り曲げ領域においてそれぞれ折り曲げられ左右方向に拡げられる左フラップ及び右フラップとを含む、請求項１に記載の吸収性物品。
【請求項６】
前記目印が、前記吸収本体の縦中心線上を延びる長軸及び吸収本体の横中心線上を延びる短軸を有する長方形状をなしている、請求項１に記載の吸収性物品。
【請求項７】
前記カバーシートが液不透過性である、請求項１に記載の吸収性物品。
【発明の詳細な説明】
【技術分野】
【０００１】
本発明は吸収性物品に関する。
【背景技術】
【０００２】
液透過性トップシート、液不透過性バックシート、及びこれらトップシートとバックシートとの間に配置された吸収体を含む吸収本体を備え、トップシート及びバックシートが吸収体の外側領域において互いに接合され、外側領域においてバックシートのユーザ身体又はトップシート側の面にグラフィックが印刷されている、吸収性物品が公知である（特許文献１参照）。すなわち、この吸収性物品では、トップシートとバックシートとの間に印刷層が形成される。この印刷層は感情的な効果を与えてユーザの憂鬱な気分を軽減するために設けられる。
【０００３】
また、液透過性トップシート、液不透過性バックシート、及びこれらトップシートとバックシートとの間に配置された吸収体を含む吸収本体を備え、トップシートと吸収体との間に体液透過性シートが設けられ、体液透過性シートの吸収体側の面に色又は図柄が印刷されている、吸収性物品が公知である（特許文献２参照）。すなわち、この吸収性物品では、トップシートの下の体液透過性シートの裏面に印刷層が形成される。この印刷層は吸収した体液の隠蔽性を向上させるために設けられる。
【０００４】
更に、液透過性トップシート、液不透過性バックシート、及びこれらトップシートとバックシートとの間に配置された吸収体を含む吸収本体を備え、トップシートからバックシートに向けて窪んだ圧搾溝であって縦方向に延びる複数の圧搾溝を設けた、吸収性物品が公知である（特許文献３参照）。この吸収性物品では、吸収本体が圧搾溝に沿って変形することによりユーザ身体への密着性を高めるために圧搾溝が設けられる。
【先行技術文献】
【特許文献】
【０００５】
【特許文献１】特許第３９７４１３２号公報
【特許文献２】特許第３９３０７４１号公報
【特許文献３】特許第４１８０８６５号公報
【発明の概要】
【発明が解決しようとする課題】
【０００６】
ところで、経血や尿といった被吸収液の漏れを防止するには吸収本体ないし吸収性物品を適正位置において下着に固着する必要がある。にもかかわらず、特に薄暗いトイレでは、下着に対する吸収本体の位置決めは必ずしも容易ではない。
【０００７】
しかしながら、上述の特許文献ではこの問題をまったく認識しておらず、当然、その解決手段も開示されていない。
【０００８】
この点、上述の特許文献の印刷層や圧搾溝に基づいて吸収本体を位置決めすれば、吸収本体を容易に適正位置に固着できるかに見える。
【０００９】
しかしながら、特許文献１に記載の吸収性物品では、印刷層がトップシートとバックシートとの間に形成されているので、印刷層を視認しにくいおそれがある。特許文献２に記載の吸収性物品でも、印刷層がトップシートの下の体液透過性シートの裏面に形成されるので、印刷層を視認しにくいおそれがある。
【００１０】
一方、特許文献３に記載の吸収性物品では、圧搾溝を視認するためにトップシートを露出させる必要があるので、衛生上の問題があるおそれがある。また、圧搾溝周りの吸収本体は硬くなっているので、吸収本体がユーザ身体に触れたときに不快感を生ずるおそれがある。
【００１１】
いずれにしても、吸収本体の位置決めを容易にすることは困難である。
【課題を解決するための手段】
【００１２】
前記課題を解決するために本発明によれば、液透過性トップシート、液不透過性バックシート、及びこれらトップシートとバックシートとの間に配置された吸収体を含む吸収本体を具備した吸収性物品において、トップシートの表面を覆うカバーシートを具備し、該カバーシートの周縁領域が吸収本体に接合されると共に、該カバーシートの中央領域に、弱め線又は切断線からなる区画線により、吸収本体を衣類に固定するための少なくとも１つのフラップが区画され、使用時にこれらフラップが折り曲げ領域においてそれぞれ折り曲げられ拡げられて衣類にそれぞれ固着され、衣類に対する吸収本体の位置決めを容易にするための目印がカバーシートに設けられている、吸収性物品が提供される。
【発明の効果】
【００１３】
吸収本体を衣類の適正位置に簡単に位置決めすることができる。
【図面の簡単な説明】
【００１４】
【図１】生理用ナプキンの正面図である。
【図２】生理用ナプキンの背面図である。
【図３】図１の線ＩＩＩ−ＩＩＩに沿ってみた生理用ナプキンの概略横断面図である。
【図４】フラップを展開した生理用ナプキンの正面図である。
【図５】使用状態を説明するための生理用ナプキンの概略縦断面図である。
【図６】使用状態を説明するための生理用ナプキンの概略横断面図である。
【図７】本発明による別の実施例を示す生理用ナプキンの正面図である。
【図８】本発明による別の実施例を示す生理用ナプキンの正面図である。
【図９】区画線の変更例を示す生理用ナプキンの正面図である。
【図１０】カバーシートの変更例を示す生理用ナプキンの正面図である。
【発明を実施するための形態】
【００１５】
図１から図３は本発明を生理用ナプキンに適用した場合を示している。しかしながら、本発明をパンティーライナ、失禁パッドといった他の吸収性物品に適用することもできる。
【００１６】
図１から図３を参照すると、本発明による実施例の生理用ナプキン（以下、単に「ナプキン」とも言う。）１は吸収本体２を具備する。この吸収本体２は液透過性のトップシート３と、液不透過性のバックシート４と、これらトップシート３とバックシート４との間に配置された液保持性の吸収体５とを具備する。トップシート３及びバックシート４はほぼ同じ大きさであり、これらの周縁においてホットメルト接着剤、ヒートシール加工等により互いに接合される。また、使用時に下着のような衣類に向けられるバックシート４の表面には、吸収本体２を下着に固着するための粘着部６が接合され、この粘着部６は保護シート７によって覆われる。
【００１７】
なお、図１において２Ｆ，２Ｂ，２Ｌ，２Ｒはナプキン１ないし吸収本体２の前端縁、後端縁、左側縁、右側縁をそれぞれ示している。この場合の前後左右は使用時のユーザの身体の前後左右に対応している。
【００１８】
使用時にユーザの肌に当接するトップシート３の表面は液不透過性のカバーシート８によって覆われる。このカバーシート８は吸収本体２とほぼ同じ大きさであり、したがってトップシート３のほぼ全面を覆っている。また、カバーシート８はその環状の周縁領域８Ｐにおいてホットメルト接着剤、ヒートシール加工等によりトップシート３ないし吸収本体２に接合される。これに対し、周縁領域８Ｐ以外の領域である中央領域８Ｃはトップシート３に接合されない。
【００１９】
カバーシート８の中央領域８Ｃには、ミシン目のような弱め線からなる区画線９があらかじめ形成されており、この区画線９によって中央領域８Ｃに、吸収本体２を下着に固定するための複数のフラップが区画ないし形成される。なお、区画線９を、カバーシート８を完全に切断する切断線から構成することもできる。
【００２０】
本発明による実施例では、区画線９は、前端縁２Ｆに向け拡開するＵ字状曲線部分９Ｆと、後端縁２Ｂに向け拡開するＵ字状曲線部分９Ｂと、カバーシート８のほぼ中央においてこれら曲線部分９Ｆ，９Ｂの頂点を互いに結ぶ直線部分９Ｓとから構成される。したがって、中央領域８Ｃには、４つのフラップ、すなわち先端が湾曲した半長円状の前フラップ１０Ｆ及び後フラップ１０Ｂと、台形状の左フラップ１０Ｌ及び右フラップ１０Ｒとが区画される。この場合、前後フラップ１０Ｆ，１０Ｂは互いに対称的に位置し、左右フラップ１０Ｌ，１０Ｒも互いに対称的に位置している。
【００２１】
この場合、区画線９は周縁領域８Ｐまで到達しておらず、したがって区画線９の端部と周縁領域８Ｐとの間に非切断領域８Ｎが形成される。
【００２２】
これらフラップ１０Ｆ，１０Ｂ，１０Ｌ，１０Ｒの表面にはそれぞれ対応するフラップ１０Ｆ，１０Ｂ，１０Ｌ，１０Ｒを下着に固着するための粘着部１１が接合される。また、これら粘着部１１はそれぞれ別個の保護シート１２によって覆われる。なお、これら粘着部１１を共通の保護シートによって覆うこともできる。この場合、粘着部１１は区画線９から離間してフラップ１０Ｆ，１０Ｂ，１０Ｌ，１０Ｒに接合され、したがって粘着部１１周りのフラップ１０Ｆ，１０Ｂ，１０Ｌ，１０Ｒには非粘着領域１３が形成される。
【００２３】
更に、吸収本体２のほぼ中心に位置するカバーシート８の表面には、下着のような衣類に対する吸収本体２の位置決めを容易にするための目印２０が設けられる。本発明による実施例では、目印２０は吸収本体２のほぼ中心に位置するカバーシート８の表面にホットメルト接着剤等により接合された追加シート２１から構成される。この追加シート２０は長方形状をなしており、その長軸及び短軸は吸収本体２の縦中心線上及び横中心線上をそれぞれ延びている。当然、目印２０は他の形状であってもよい。なお、上述した粘着部１１は図３からわかるように、追加シート２１上に接合される。また、区画線９は追加シート２１がカバーシート８に接合された後に形成され、したがって追加シート２１にも形成されている。
【００２４】
目印２０と、目印２０周りのカバーシート８の表面部分である周囲部分８Ｓとの間には、視覚的又は触覚的コントラストが設けられる。すなわち、本発明による実施例では、追加シート２１の表面に着色加工が施され、すなわち文字もしくは記号、模様、色彩等が印刷等により付されている。これに対し、周囲部分８Ｓには着色加工が施されない。また、カバーシート８の表面には追加シート２１の厚さ分だけ段差が生じている。なお、追加シート２１にエンボス加工を施すこともできる。
【００２５】
次に、各要素の素材について説明する。
【００２６】
トップシート３は例えば有孔又は無孔の不織布や多孔性プラスチックシートから構成される。
【００２７】
バックシート４は例えば疎水性の不織布、不透水性のプラスチックフィルム、不織布と不透水性プラスチックフィルムとのラミネートシート、耐水性の高いメルトブローン不織布、強度の強いスパンボンド不織布で挟んだＳＭＳ不織布から構成される。
【００２８】
吸収体５は例えばフラッフ状パルプ又はエアレイド不織布と高吸収ポリマーとから構成される。ここで、フラッフ状パルプは例えば化学パルプ、セルロース繊維、レーヨン、アセテート等の人工セルロース繊維から構成され、エアレイド不織布は例えばパルプと合成繊維とを熱融着させ又はバインダーで固着させた不織布から構成され、高吸収ポリマーは例えばデンプン系、アクリル酸系、アミノ酸系の粒子状又は繊維状のポリマーから構成される。
【００２９】
粘着部６，１１は例えばスチレン−イソプレン−スチレンブロック共重合体（ＳＩＳ）、スチレン−ブタジエン−スチレンブロック共重合体（ＳＢＳ）、スチレン−エチレン−ブチレン−エチレン共重合体（ＳＥＢＳ）等のホットメルト粘着剤から構成される。
【００３０】
カバーシート８は例えば疎水性の不織布、不透水性のプラスチックフィルム、不織布と不透水性プラスチックフィルムとのラミネートシート、耐水性の高いメルトブローン不織布、強度の強いスパンボンド不織布で挟んだＳＭＳ不織布から構成され、好ましくは疎水性不織布から構成される。カバーシート８の坪量は１５ｇ／ｍ２から６０ｇ／ｍ２が好ましい。プラスチックフィルムから構成される場合には、プラスチックフィルムのドレープ性はカンチレバー法で２０ｍｍから１００ｍｍが好ましく、３０ｍｍから７０ｍｍが更に好ましい。ドレープ性が２０ｍｍよりも小さいと、カバーシート８が撚れ易くなるからである。一方、ドレープ性が１００ｍｍよりも大きいと、カバーシート８が硬くなるので、ナプキン１の使用感を悪化させるおそれがあり、下着への追従性が低下して被吸収液が漏れるおそれがあるからである。
【００３１】
なお、上述のカンチレバー法はＪＩＳ−Ｌ１０１８に準じて次のように行われる。すなわち、長さ１５０ｍｍ、幅２５ｍｍの測定対象を５枚重ねて測定サンプルを得る。次いで、大栄科学精器製作所製のカンチレバーを用い、測定サンプルをカンチレバーの押さえ板下に挟み、斜面方向に滑らせ速度５ｍｍ／ｓｅｃで移動距離を自動測定する。測定サンプルの表面を下にした場合と、測定サンプルの裏面を下にした場合の両方について測定し、これらの平均を測定結果とする。
【００３２】
追加シート２１は例えば一般的に用いられる不織布、例えばエアスルー不織布、ヒートロール不織布、スパンボンド不織布、メルトブローン不織布から構成される。しかしながら、低坪量でも厚みがあり風合いや肌触りが良好となるので、エアスルー法により作られた不織布が好ましい。ここで、不織布の坪量は１５ｇ／ｍ２から１００ｇ／ｍ２が好ましい。なお、追加シート２１の素材はカバーシート８の素材と同じでもよいが、異なっているのが好ましい。
【００３３】
さて、ナプキン１は次のようにして下着に固着される。すなわち、まず、バックシート４側の保護シート７が取り外される。次いで、ナプキン１ないし吸収本体２が下着の内面に対し位置決めされ、粘着部６を介し下着に固着される。
【００３４】
この場合、目印２０がカバーシート８に設けられているので、ユーザは吸収本体２を適正位置に容易にかつ短時間で位置決めすることができる。ここで、目印２０はカバーシート８の表面に設けられているので、ユーザは目印２０を確実に視認することができる。また、このときトップシート３はカバーシート８によって覆われているので、トップシート３が汚れるのが阻止されている。
【００３５】
次いで、カバーシート８の中央領域８Ｃが区画線９に沿って破断される。その結果、互いに分離した４つのフラップ１０Ｆ，１０Ｂ，１０Ｌ，１０Ｒが形成される。
【００３６】
次いで、図４に示されるように、これらフラップ１０Ｆ，１０Ｂ，１０Ｌ，１０Ｒがそれぞれ拡げられる。すなわち、前フラップ１０Ｆは前端縁２Ｆに沿う折り曲げ領域１４Ｆにおいて折り曲げられて前方向に拡げられ、後フラップ１０Ｂは後端縁２Ｂに沿う折り曲げ領域１４Ｂにおいて折り曲げられて後方向に拡げられる。また、左フラップ１０Ｌは左側縁２Ｌに沿う折り曲げ領域１４Ｌにおいて折り曲げられて左方向に拡げられ、右フラップ１０Ｒは右側縁２Ｒに沿う折り曲げ領域１４Ｒにおいて折り曲げられて右方向に拡げられる。その結果、トップシート３が露出される。
【００３７】
上述したように、本発明による実施例ではカバーシート８の表面に目印２０が設けられる。したがって、カバーシート８の裏面、すなわちフラップ１０Ｆ，１０Ｂ，１０Ｌ，１０Ｒが拡げられたときにユーザ側に位置する面や、トップシート３の表面に着色加工を施す必要がない。その結果、ユーザに不潔ないし不快な印象を与えることがない。
【００３８】
次いで、フラップ１０Ｆ，１０Ｂ，１０Ｌ，１０Ｒがそれぞれの粘着部１１を介し下着に固着される。すなわち、ナプキン１の縦断面を示す図５に示されるように、前フラップ１０Ｆが吸収本体２前方の下着Ｕの内面ＵＩに固着され、後フラップ１０Ｂが吸収本体２後方の下着Ｕの内面ＵＩに固着される。また、ナプキン１の横断面を示す図６に示されるように、左フラップ１０Ｌ及び右フラップ１０Ｒが吸収本体２下方の下着Ｕの外面ＵＯにそれぞれ固着される。
【００３９】
このようにしてフラップ１０Ｆ，１０Ｂ，１０Ｌ，１０Ｒが下着Ｕに固着され、したがって吸収本体２が下着Ｕに固定される。この場合、前フラップ１０Ｆ及び後フラップ１０Ｂのように前後方向に拡げられて固着される前後方向フラップと、左フラップ１０Ｌ及び右フラップ１０Ｒのように左右方向に拡げられて固着される左右方向フラップとの両方によって吸収本体２が下着Ｕに固定される。また、前フラップ１０Ｆ及び後フラップ１０Ｂのように下着内面ＵＩに固着される内面固着フラップは下着Ｕとユーザ身体とに挟まれることにより保持される。一方、左フラップ１０Ｌ及び右フラップ１０Ｒのように下着Ｕの外面ＵＯに固着される外面固着フラップは下着Ｕを吸収本体２との間に挟みこむ。
【００４０】
したがって、吸収本体２にさまざまな方向の外力が作用しても、吸収本体２の捩れや位置ずれを抑制することができる。すなわち、吸収本体２を下着Ｕに確実に固定することができ、したがって被吸収液の漏れを抑制することができる。また、漏れに対するユーザの不安をなくすことができる。
【００４１】
本発明による実施例では、前フラップ１０Ｆ及び後フラップ１０Ｂのような内面固着フラップの先端が湾曲しているので、前フラップ１０Ｆ及び後フラップ１０Ｂがユーザ身体に当接したときの痛みや違和感が抑制される。
【００４２】
また、フラップ１０Ｆ，１０Ｂ，１０Ｌ，１０Ｒ、具体的にはそれらの先端に非粘着領域１３が形成されているので、ユーザは非粘着領域１３を摘んでフラップ１０Ｆ，１０Ｂ，１０Ｌ，１０Ｒを取り扱うことが可能となり、したがって吸収本体２を下着Ｕに簡単に固定することができる。
【００４３】
ここで、図４からわかるように、折り曲げ領域１４Ｆ，１４Ｂ，１４Ｌ，１４Ｒは概ね、区画線９の互いに隣接する２つの端部を結ぶ直線上に位置している。一方、図１に示されるように、区画線９の端部と周縁領域８Ｐとの間には非切断領域８Ｎが形成されている。したがって、図５及び図６に示されるように、周縁領域８Ｐと折り曲げ領域１４Ｆ，１４Ｂ，１４Ｌ，１４Ｒないしフラップ１０Ｆ，１０Ｂ，１０Ｌ，１０Ｒとの間のカバーシート８に、カバーシート８の全周にわたり連続して拡がる防漏領域１５が形成されることになる。この防漏領域１５はトップシート３の表面に沿って吸収本体２の外部に向かう被吸収液の流れを規制し、したがって防漏壁として作用する。
【００４４】
本発明による実施例では、１枚のカバーシート８を吸収本体２に接合するだけで、防漏壁として作用する防漏領域１５が形成される。したがって、防漏作用を簡単に得ることができる。また、防漏領域１５には継ぎ目がない。しかも、下着Ｕに固着するためにフラップ１０Ｆ，１０Ｂ，１０Ｌ，１０Ｒが引っ張られると、防漏領域１５の内縁がトップシート３から立ち上がるので、被吸収液が防漏領域１５によって確実に捕捉される。したがって、被吸収液の漏れを確実に抑制することができる。
【００４５】
また、本発明による実施例では、追加シート２１が粘着部１１周りのフラップ１０Ｆ，１０Ｂ，１０Ｌ，１０Ｒに接合され、周囲部分８Ｓには追加シート２１が接合されない。したがって、フラップ１０Ｆ，１０Ｂ，１０Ｌ，１０Ｒのうち粘着部１１周りの領域の剛性が他の領域の剛性よりも高く設定されているということになる。
【００４６】
このようにすると、フラップ１０Ｆ，１０Ｂ，１０Ｌ，１０Ｒの取り扱いが容易になり、フラップ１０Ｆ，１０Ｂ，１０Ｌ，１０Ｒを下着Ｕに簡単に固着することができる。
【００４７】
この場合、別の見方をすると、折り曲げ領域１４Ｆ，１４Ｂ，１４Ｌ，１４Ｒを含む周囲部分８Ｓの剛性が目印２０の剛性よりも低く設定されているということになる。その結果、フラップ１０Ｆ，１０Ｂ，１０Ｌ，１０Ｒを折り曲げて拡げるのが容易になる。
【００４８】
更に、図１に示されるように、目印２０はフラップ１０Ｆ，１０Ｂ，１０Ｌ，１０Ｒそれぞれを部分的に占めている。すなわち、フラップ１０Ｆ，１０Ｂ，１０Ｌ，１０Ｒそれぞれの一部、例えば先端が目印２０から構成され、残りが周囲部分８Ｓから構成される。このようにすると、ユーザはフラップ１０Ｆ，１０Ｂ，１０Ｌ，１０Ｒを特に先端を確実に視認することができ、フラップ１０Ｆ，１０Ｂ，１０Ｌ，１０Ｒを容易に摘んで拡げることができる。
【００４９】
なお、周縁領域８Ｐの幅は２ｍｍから１０ｍｍが好ましく、３ｍｍから５ｍｍが更に好ましい。周縁領域８Ｐの幅が２ｍｍよりも狭いと、カバーシート８と吸収本体２との接合強度が低下するからである。また、周縁領域８Ｐの幅が１０ｍｍよりも広いと、フラップ１０Ｆ，１０Ｂ，１０Ｌ，１０Ｒが拡げられたときに露出されるトップシート３の表面が狭くなるからである。すなわち、トップシートが広く露出されると、ナプキン１ないし吸収本体２の下着Ｕに対する固着位置が適正位置から多少外れたとしても、被吸収液の漏れを抑制できる。
【００５０】
一方、非切断領域８Ｎの幅は２ｍｍから１０ｍｍが好ましく、３ｍｍから５ｍｍが更に好ましい。非切断領域８Ｎの幅が２ｍｍよりも狭いと、非切断領域８Ｎにおけるカバーシート８の引張強度が低下し、防漏領域１５の防漏効果が低下するからである。また、非切断領域８Ｎの幅が１０ｍｍよりも広いと、フラップ１０Ｆ，１０Ｂ，１０Ｌ，１０Ｒが拡げられたときに露出されるトップシート３の表面が狭くなるからである。
【００５１】
カバーシート８の面積に対する目印２０の面積の割合は１０％から９０％が好ましく、４０％から７０％がさらに好ましい。この割合が１０％よりも小さく又は９０％よりも大きいと、目印２０と周囲部分８Ｓとの間の視覚的又は触覚的コントラストが小さくなり、目印２０が視認しにくくなるからである。
【００５２】
これまでの説明では、追加シート２１に着色加工が施され、周囲部分８Ｓには着色加工が施されない。しかしながら、図７に示されるように、追加シート２１に着色加工を施すことなく、周囲部分８Ｓに着色加工を施すようにしてもよい。
【００５３】
あるいは、図８に示されるように、周囲部分８Ｓにエンボス加工を施すことなく、追加シート２１にエンボス加工を施すようにしてもよい。逆に、追加シート２１にエンボス加工を施すことなく、周囲部分８Ｓにエンボス加工を施すようにしてもよい。
【００５４】
更に、追加シート２１を設けずに、吸収本体２のほぼ中心に位置するカバーシート８の表面に直接的に着色加工又はエンボス加工を施すようにしてもよい。
【００５５】
したがって、包括的に言うと、目印２０と周囲部分８Ｓとのうち一方に着色加工又はエンボス加工を施し、他方に着色加工又はエンボス加工を施さないということになる。
【００５６】
あるいは、視覚的又は触覚的コントラストが設けられるように、目印２０及び周囲部分８Ｓの両方に着色加工又はエンボス加工を施すようにしてもよい。
【００５７】
なお、図８に示される例において、エンボス加工が凹凸パターン加工であると、フラップ１０Ｆ，１０Ｂとユーザ身体との接触面積を低減できるので、ムレが防止され、装着感が向上される。また、フラップ１０Ｆ，１０Ｂ，１０Ｌ，１０Ｒに粘着部１１を接合する場合のホットメルト接着剤の転写性に優れている。
【００５８】
また、これまでの説明では、吸収本体２のほぼ中心に位置するカバーシート８の表面に目印２０が設けられている。しかしながら、ユーザが吸収本体２を所望の位置に位置決めするのが容易になる限りにおいて、目印２０を吸収本体２の中心以外に設けてもよいし、カバーシート８の裏面に設けてもよい。
【００５９】
更に、これまでの説明では、カバーシート８の中央領域８Ｃに４つのフラップが区画されるように区画線９が形成されている。しかしながら、フラップの数は４つでなくてもよい。すなわち、図９（Ａ）に示されるように中央領域８Ｃに３つのフラップ１０Ｆ，１０Ｌ，１０Ｒが区画されるように区画線９を形成してもよいし、図９（Ｂ）に示されるように中央領域８Ｃに６つのフラップ１０Ｆ，１０Ｂ，１０ＬＦ，１０ＬＢ，１０ＲＦ，１０ＲＢが区画されるように区画線９を形成してもよい。
【００６０】
したがって、包括的に言うと、カバーシート８の中央領域８Ｃに、区画線９によって少なくとも１つのフラップが区画されるということになる。
【００６１】
更に、これまでの説明ではカバーシート８は１枚のシートから構成されている。しかしながら、カバーシート８を互いに分離した複数枚のカバーシート部分から構成することもできる。すなわち、図１０に示される例では、カバーシート８が例えば４枚のカバーシート部分３０から構成される。この場合、これらカバーシート部分３０はトップシート３の表面をそれぞれ部分的に覆い、しかしながら全体としてトップシート３の表面をほぼ全体的に覆っている。また、互いに隣接するカバーシート部分３０同士間に形成される区画線９は周縁領域８Ｐを横切って延びている。更に、図１０に示される例では、カバーシート部分３０がフラップ１０Ｆ，１０Ｂ，１０Ｌ，１０Ｒをそれぞれ形成している。なお、１枚のカバーシート部分３０により複数のフラップ１０Ｆ，１０Ｂ，１０Ｌ，１０Ｒが形成されるようにしてもよい。また、カバーシート部分３０は互いに重なり合っていてもよい。
【符号の説明】
【００６２】
１    生理用ナプキン
２    吸収本体
３    トップシート
４    バックシート
５    吸収体
８    カバーシート
８Ｃ    中央領域
８Ｐ    周縁領域
８Ｓ    周囲部分
９    区画線
１０Ｆ    前フラップ
１０Ｂ    後フラップ
１０Ｌ    左フラップ
１０Ｒ    右フラップ
１１    粘着部
１４Ｆ，１４Ｂ，１４Ｌ，１４Ｒ    折り曲げ領域
２０    目印
２１    追加シート
【図１】
2010233924.tif 000003
【図２】
2010233924.tif 000004
【図３】
2010233924.tif 000005
【図４】
2010233924.tif 000006
【図５】
2010233924.tif 000007
【図６】
2010233924.tif 000008
【図７】
2010233924.tif 000009
【図８】
2010233924.tif 000010
【図９】
2010233924.tif 000011
【図１０】
2010233924.tif 000012
【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
液透過性トップシート、液不透過性バックシート、及びこれらトップシートとバックシートとの間に配置された吸収体を含む吸収本体を具備した吸収性物品において、トップシートの表面を覆うカバーシートを具備し、該カバーシートの周縁領域が吸収本体に接合されると共に、該カバーシートの中央領域に、弱め線又は切断線からなる区画線により、吸収本体を衣類に固定するための少なくとも１つのフラップが区画され、使用時にこれらフラップが折り曲げ領域においてそれぞれ折り曲げられ拡げられて衣類にそれぞれ固着され、衣類に対する吸収本体の位置決めを容易にするための目印がカバーシートに設けられている、吸収性物品。
【請求項２】
前記目印と該目印周りのカバーシートの表面部分である周囲部分との間に視覚的又は触覚的コントラストが設けられる、請求項１に記載の吸収性物品。
【請求項３】
前記目印が前記カバーシートに接合された追加シートから構成される、請求項１又は２に記載の吸収性物品。
【請求項４】
前記目印が前記フラップを部分的に占めている、請求項１から３までのいずれか一項に記載の吸収性物品。
【請求項５】
前記フラップが、吸収本体の前後端縁に沿う折り曲げ領域においてそれぞれ折り曲げられ前後方向に拡げられる前フラップ及び後フラップと、吸収本体の左右側縁に沿う折り曲げ領域においてそれぞれ折り曲げられ左右方向に拡げられる左フラップ及び右フラップとを含む、請求項１から４までのいずれか一項に記載の吸収性物品。
【請求項６】
前記目印が、前記吸収本体の縦中心線上を延びる長軸及び吸収本体の横中心線上を延びる短軸を有する長方形状をなしている、請求項１から５までのいずれか一項に記載の吸収性物品。
【請求項７】
前記カバーシートが液不透過性である、請求項１から６までのいずれか一項に記載の吸収性物品。
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
液透過性トップシート、液不透過性バックシート、及びこれらトップシートとバックシートとの間に配置された吸収体を含む吸収本体を具備した吸収性物品において、トップシートの表面を覆うカバーシートを具備し、該カバーシートの周縁領域が吸収本体に接合されると共に、該カバーシートの中央領域に、弱め線又は切断線からなる区画線により、吸収本体を衣類に固定するための少なくとも１つのフラップが区画され、使用時にこれらフラップが折り曲げ領域においてそれぞれ折り曲げられ拡げられて衣類にそれぞれ固着され、衣類に対する吸収本体の位置決めを容易にするための目印がカバーシートに設けられており、前記目印が前記フラップを部分的に占めている、吸収性物品。
【請求項２】
前記目印と該目印周りのカバーシートの表面部分である周囲部分との間に視覚的又は触覚的コントラストが設けられる、請求項１に記載の吸収性物品。
【請求項３】
前記目印が前記カバーシートに接合された追加シートから構成される、請求項１又は２に記載の吸収性物品。
【請求項４】
前記フラップが、吸収本体の前後端縁に沿う折り曲げ領域においてそれぞれ折り曲げられ前後方向に拡げられる前フラップ及び後フラップと、吸収本体の左右側縁に沿う折り曲げ領域においてそれぞれ折り曲げられ左右方向に拡げられる左フラップ及び右フラップとを含む、請求項１から３までのいずれか一項に記載の吸収性物品。
【請求項５】
前記目印が、前記吸収本体の縦中心線上を延びる長軸及び吸収本体の横中心線上を延びる短軸を有する長方形状をなしている、請求項１から４までのいずれか一項に記載の吸収性物品。
【請求項６】
前記カバーシートが液不透過性である、請求項１から５までのいずれか一項に記載の吸収性物品。
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
液透過性トップシート、液不透過性バックシート、及びこれらトップシートとバックシートとの間に配置された吸収体を含む吸収本体を具備し、吸収本体を衣類に固着するための粘着部がバックシートに設けられる吸収性物品において、トップシートの表面のほぼ全体を覆うカバーシートを具備し、該カバーシートの周縁領域が吸収本体に接合されると共に、該カバーシートの中央領域に、弱め線又は切断線からなる区画線により、吸収本体を衣類に固定するための複数のフラップが区画され、使用時にこれらフラップが折り曲げ領域においてそれぞれ折り曲げられ拡げられて衣類にそれぞれ固着され、衣類に対する吸収本体の位置決めを容易にするための目印がカバーシートに設けられており、前記目印が前記フラップを部分的に占めている、吸収性物品であって、前記フラップが、吸収本体の前後端縁に沿う折り曲げ領域においてそれぞれ折り曲げられ前後方向に拡げられて衣類の内面に固着される前フラップ及び後フラップと、吸収本体の左右側縁に沿う折り曲げ領域においてそれぞれ折り曲げられ左右方向に拡げられて衣類の外面にそれぞれ固着される左フラップ及び右フラップとを含み、前記フラップを衣類に固着させる固着部が前記フラップにそれぞれ取り付けられており、これらフラップの固着部とバックシートの粘着部とによって吸収本体が衣類に固着される、吸収性物品。
【請求項２】
前記目印と該目印周りのカバーシートの表面部分である周囲部分との間に視覚的又は触覚的コントラストが設けられる、請求項１に記載の吸収性物品。
【請求項３】
前記目印が前記カバーシートに接合された追加シートから構成される、請求項１又は２に記載の吸収性物品。
【請求項４】
前記目印が、前記吸収本体の縦中心線上を延びる長軸及び吸収本体の横中心線上を延びる短軸を有する長方形状をなしている、請求項１から３までのいずれか一項に記載の吸収性物品。
【請求項５】
前記カバーシートが液不透過性である、請求項１から４までのいずれか一項に記載の吸収性物品。